(57)【要約】【課題】装飾部品や健康増進部品などの付加部材を、腕時計、ブレスレット、あるいはネックレスなどの帯状装身具の表面に確実に固定する。【解決手段】帯状装身具の表面に配置された付加部材１１と、付加部材の外側に接する保持部材１４とを有する。保持部材が帯状装身具より脱落するのを防ぐ脱落防止手段が設けられている。脱落防止手段には、保持部材１４の外周面と、帯状装身具の凹部の内周面との間で圧縮されるパッキン１５を含む。付加部材１１は、たとえば、帯状装身具の１つである腕時計において、腕時計を構成する部品の１つであるケースの裏蓋の裏面に組み込まれる。付加部材１１は、腕時計を構成する他の部品に組み込まれてもよい。【選択図】　　　図１
2004081744.tif 000002
【特許請求の範囲】
【請求項１】
帯状装身具の外面に配置された付加部材と、
付加部材の外側に接する透過保持部材と、
この透過保持部材が帯状装身具より脱落することを防ぐ脱落防止手段とを備え、脱落防止手段によって帯状装身具に配置された透過保持部材の内側に、付加部材が保持された帯状装身具。
【請求項２】
請求項１に記載の帯状装身具であって、付加部材が装飾部品である帯状装身具。
【請求項３】
請求項１に記載の帯状装身具であって、付加部材が健康増進部品である帯状装身具。
【請求項４】
請求項１から３いずれかに記載の帯状装身具であって、帯状装身具の外面に、凹部が設けられ、その内部に付加部材及び保持部材が収納された帯状装身具。
【請求項５】
請求項４に記載の帯状装身具であって、脱落防止手段によって透過保持部材が凹部内に配置された帯状装身具。
【請求項６】
請求項５に記載の帯状装身具であって、透過保持部材の外面が、帯状装身具の外面より突出することなく、透過保持部材が配置された帯状装身具。
【請求項７】
請求項５に記載の帯状装身具であって、脱落防止手段が、透過保持部材の側面と凹部の内壁との間で圧縮されたパッキンよりなる帯状装身具。
【請求項８】
請求項７に記載の帯状装身具であって、透過保持部材が載置される段部が凹部に備えられた帯状装身具。
【請求項９】
請求項１から８のいずれかに記載の帯状装身具であって、透過保持部材が、透明、あるいは半透明の無機ガラスである帯状装身具。
【請求項１０】
請求項１から８のいずれかに記載の帯状装身具であって、透過保持部材の外面、あるいは内面の少なくともいずれか一方に装飾層が被覆された帯状装身具。
【請求項１１】
請求項１から８のいずれかに記載の帯状装身具であって、付加部材と透過保持部材との間に、外方緩衝部材が配置された帯状装身具。
【請求項１２】
請求項１１に記載の帯状装身具であって、外方緩衝部材が、透過保持部材の内面に接する枠体である帯状装身具。
【請求項１３】
請求項１２に記載の帯状装身具であって、外方緩衝部材が、付加部材の外側面と、凹部の内壁とに接する外周部を備えた帯状装身具。
【請求項１４】
請求項１から８のいずれかに記載の帯状装身具であって、付加部材と帯状装身具の外面との間に、内方緩衝部材が配置された帯状装身具。
【請求項１５】
請求項１４に記載の帯状装身具であって、内方緩衝部材が、付加部材が挿入される挿入部を備えた板状部材である帯状装身具。
【請求項１６】
請求項１５に記載の帯状装身具であって、内方緩衝部材が、付加部材の側面と、凹部の内壁とに接する外周部を備えた帯状装身具。
【請求項１７】
請求項１から１６のいずれかに記載の帯状装身具であって、携帯者が帯状装身具を装着した場合に、帯状装身具における携帯者の肌に対向する外面に、付加部材が備えられた帯状装身具。
【請求項１８】
請求項１から１７のいずれかに記載の帯状装身具であって、帯状装身具が腕時計である帯状装身具。
【請求項１９】
請求項１８に記載の帯状装身具であって、付加部材が腕時計ケースの裏側の外面に備えられた帯状装身具。
【請求項２０】
請求項１９に記載の帯状装身具であって、凹部の底面に、ケースの内側に貫通する貫通孔が形成された帯状装身具。
【請求項２１】
請求項２０に記載の帯状装身具であって、貫通孔におけるケースの内側を向く開口部を塞ぐ固定部材を備えた帯状装身具。
【請求項２２】
請求項２０に記載の帯状装身具であって、外方緩衝部材の側面部が、貫通孔におけるケースの内側を向く開口部より張り出す延出部を備えた帯状装身具。
【請求項２３】
請求項１８に記載の帯状装身具であって、付加部材が、腕時計ケースのバンド連結部に備えられた帯状装身具。
【請求項２４】
請求項１８に記載の帯状装身具であって、付加部材が、中留に備えられた帯状装身具。
【請求項２５】
請求項１８に記載の帯状装身具であって、付加部材が、バンドに備えられた帯状装身具。
【請求項２６】
請求項１８に記載の帯状装身具であって、付加部材が、腕時計ケースとバンド、バンドとバンド、バンドと中留との間のいずれかに配置された中間連結部材に備えられる帯状装身具。
【請求項２７】
請求項１、あるいは３のいずれかに記載の帯状装身具であって、健康増進部品が、遠赤外線発生部品、あるいは磁気発生部品の群から選ばれた１つである帯状装身具。
【請求項２８】
請求項２５に記載の帯状装身具であって、健康増進部品が、トルマリン鉱石の粉末を含むセラミック成形部品である帯状装身具。
【発明の詳細な説明】
【０００１】
【発明の属する技術分野】
本発明は、装飾部品や健康増進部品などの付加部材を備えた、腕時計、ブレスレット、あるいはネックレスなどの帯状装身具に関する。
【０００２】
【従来の技術】
装飾部品又は健康増進部品などの付加部材を取付けた帯状装身具はすでに知られている。
たとえば、腕時計の装飾性を高めるための装飾部材としては、ケースの裏蓋に取付けられる銘板が広く知られている。銘板は、ステンレスや黄銅などの金属、あるいは合成樹脂などの材料で作られ、模様や絵柄などが表面に付された板である。そして、銘板は、両面テープなどの接着テープや接着剤などで、裏蓋の外面に接着されてきた。
【０００３】
他方、携帯者の健康を増進させる健康増進部品として、近年、遠赤外線を発生する部品が、腕時計に用いられるようになった。遠赤外線発生部品などの健康増進部品を備えることで、計時機能以外の健康増進器具としての機能が、腕時計に付加されている。
【０００４】
この健康増進部品としては、トルマリンが広く用いられている。トルマリンは、別名電気石とも呼ばれ、わずかな加温や加圧で、人体にとって適度な遠赤外線を発生する。さらに、加温や加圧によって生じたトルマリンの電場の中に、大気中の水分子が通過すると、水分子は水素イオンと水酸イオンに解離する。この水酸イオンが水分子と結合して、マイナスの電荷をもつヒドロキシルイオンとなって大気中に浮遊する。このマイナスイオンを含む空気が健康を増進させる。このように、トルマリンは、遠赤外線とマイナスイオン双方を発生させるため、健康増進部品として多用されている。
【０００５】
市場では、トルマリンを含む部品がケースの裏蓋の外面に接着された腕時計が、すでに市販されている。
加えて、トルマリンを含むマイナスイオン発生部品を、裏蓋のみならず、中留に取付けることも知られている（たとえば、特許文献１参照。）。また、バンドの駒の裏側にマイナスイオン発生部品と磁石とを交互に取付けることも知られている（たとえば、特許文献２参照。）。
【０００６】
【特許文献１】
実開平１０−１４６２４号公報（第２頁、第１図）
【特許文献２】
登録実用新案第３０２３５５９号公報（第２頁、第１図）
【０００７】
【発明が解決しようとする課題】
しかしながら、銘板などの装飾部品は、購買者や携帯者に視認できるように、腕時計の外面に露出して接着されなければならない。また、健康増進部品も、この部品から発生する遠赤外線や磁力を、より効果的に携帯者の身体に作用させるために、携帯者の肌に接するように、腕時計の外面に露出して接着されなければならない。
よって、これら装飾部品や健康増進部品には、不用意な外力が負荷されやすく、その結果、これらの部品は傷ついたり、はなはだしくは破損したりした。特に、装飾部品や健康増進部品がセラミックやガラスなどの脆い材質から成る場合には、これらの部品は極めて容易に、かつ頻繁に割れてしまった。
さらに、不用意な外力の負荷によって、装飾部品や健康増進部品が、腕時計から簡単に外れてしまうという問題があった。
【０００８】
また、装飾部品も健康増進部品も、腕時計に直接接着していたので、製造に手間がかかり、製造コストが高くなってしまった。そればかりか、接着剤や接着テープがはみ出すと、装身具としての美観をはなはだ損ねてしまった。
しかしながら、特許文献１も特許文献２も、これらの問題を解決する手段については、なんら開示していない。
これらの課題は、腕時計のみならず、ブレスレットやネックレスなどの他の帯状装身具にも、装飾部品や健康増進部品を取付ける場合に同様に存在する。
【０００９】
そこで本発明の第１の目的は、装飾部品、あるいは健康増進部品などの付加部材が傷ついたり破損したりしない帯状装身具を提供することにある。
また、本発明の第２の目的は、装飾部品、あるいは健康増進部品などの付加部材が強固に取付けられた帯状装身具を提供することにある。
また、本発明の第３の目的は、付加部材が見栄えよく取付けられた帯状装身具を提供することにある。
さらに、本発明の第４の目的は、付加部材が取付けられた帯状装身具を安価に製造することのできる構造を提供するにある。
【００１０】
【課題を解決するための手段】
この目的を達成するため、本発明の請求項１による帯状装身具は、帯状装身具の外面に配置された付加部材と、付加部材の外側に接する透過保持部材と、この透過保持部材が帯状装身具より脱落することを防ぐ脱落防止手段とよりなる。
この構成により、帯状装身具の外面に付加部材を配置し、その外側に透過保持部材を被せれば、脱落防止手段によって透過保持部材は帯状装身具より脱落しないので、付加部材が、透過保持部材と帯状装身具の外面との間に、強固に保持される。
【００１１】
また、付加部材は、透過保持部材によって、意図しない外力の負荷から保護されるので、傷ついたり破損したりしない。
かつ、付加部材が装飾部品である場合は、付加部材は透過保持部材を通して視認される。
また、付加部材が健康増進部品である場合は、健康増進部品が、透過保持部材を通して視認されるばかりか、この部品から発生する遠赤外線や磁力が、透過保持部材を通して携帯者の肌に作用する。
また、付加部材を帯状装身具に接着する必要がないので、接着剤のはみ出しなどで、帯状装身具の美観を損ねることがない。
【００１２】
さらに、この取付け作業は容易であるため、安価に付加部材を備える帯状装身具を製造できる。
なお、ここで、透過保持部材とは、透過保持部材を視認できる透明、あるいは半透明な部材であり、たとえば無機ガラス、有機ガラス、合成樹脂、ゴム、セラミックなどから成る。また、これらの素材の中に、顔料などの着色粒子が含有されることにより、透過保持部材を視認できる範囲で透過保持部材が着色されてもよい。
【００１３】
また、請求項２による本発明は、付加部材を装飾部品とすることができる。
装飾部品の素材は、ステンレス、チタン、チタン合金、黄銅などの金属、七宝などのセラミック、天然繊維、合成繊維、皮革、写真や絵などの紙、コイン、あるいは合成樹脂やゴムなどの柔軟体など、帯状装身具の外表面と透過保持部材との間に挟持できるものであれば、何であってもよい。これらの装飾部材の視認される外面には、マーク、模様、あるいは絵柄などが付されてもよい。あるいは、製品番号や部品番号などの識別符号が付されてもよい。
【００１４】
また、本発明は、請求項３によれば、付加部材を、健康増進部品とすることができる。健康増進部品としては、遠赤外線発生部品、あるいは永久磁石などの磁気発生部品などが採用される。
遠赤外線発生部品としては、たとえば、Ｓｉ３Ｎ４、Ｃ、ＴｉＯ２、ＭｇＯ、ＺｒＯ２、Ｆｅ（ＯＨ）２などの無機物を溶剤系のバインダーに練り込んで成形した成形部品を採用してもよい。あるいは、シリコンなどの液化樹脂と、麦飯石、蛇紋岩、角閃石、褐廉石、沸石、蛍石、フェルソング石などの多種類の鉱石を粉砕した微粉末鉱石とを混和させ、加熱処理を施してチップ状に成形した遠赤外線発生部品を採用してもよい。さらに、スギゴケ、ゼニゴケなどのコケ類植物を乾燥させ粉末状とした微粉末植物を加えて成形した部品を用いてもよい。
【００１５】
遠赤外線発生部品としては、たとえば、トルマリン鉱石の原石、トルマリン鉱石の粉末を含むセラミック成形部品、あるいはトルマリン鉱石の粉末を含む合成樹脂成形部品などを採用してもよい。
トルマリン鉱石の粉末を含むセラミック成形部品は、たとえば次のように製造される。セラミック微細中空粒子、およびトルマリン粉末を主構成材料とし、これに融剤となる材料を含むセラミックス組成物と水を加えて混練する。次いで、混練された材料を、所定の型枠に打設して、加圧成形後、焼成すればよい。
融剤としては、たとえば、長石、石灰石、炭酸マグネシウム、リン酸石灰、酸化鉛、硼酸、硼砂、炭酸ソーダ、硝酸ソーダ、酸化亜鉛の群から選択される、いずれか１種または２種以上を添加する。
【００１６】
セラミックス組成物とは、Ｂ２Ｏ３、ＳｉＯ２、ＧｅＯ２、ＺｒＯ２、Ｐ２Ｏ５、Ａｓ２Ｏ５、Ｓｂ２Ｏ３、Ｂｉ２Ｏ３、Ｐ２Ｏ３、Ｓｂ２Ｏ５、ＳＯ３などの酸性酸化物に、Ｎａ２Ｏ、Ｋ２Ｏ、ＣａＯ、ＭｇＯなどの塩基性酸化物や、Ａｌ２Ｏ３、Ｆｅ２Ｏ３、ＺｎＯ、ＰｂＯ、ＴｉＯ２などを添加したものが含まれる。たとえば、ＳｉＯ２−Ｎａ２Ｏ−Ｂｉ２Ｏ３、ＳｉＯ２−Ｎａ２Ｏ−ＣａＯ、ＳｉＯ２−Ｋ２Ｏ−ＣａＯ、Ａｌ２Ｏ３−ＳｉＯ２−Ｎａ２Ｏ−ＣａＯ−Ｂ２Ｏ３、Ａｌ２Ｏ３−ＳｉＯ２−ＴｉＯ２−ＣａＯ−Ｂ２Ｏ３、ＣａＯ−ＳｉＯ２−Ａｌ２Ｏ３−Ｆｅ２Ｏ３、あるいはＳｉＯ２−Ａｌ２Ｏ３−Ｋ２Ｏなどの群Ａから選択される、少なくとも１種を使用する。あるいは、天然素材のカオリン、可塑性粘土（蛙目粘土、木節粘土、ボールクレー等）、セリサイト、陶石、ロウ石、ベントナイト、珪石、シャモット、長石、石灰石、マグネサイト、ドロマイト、珪灰石、滑石、骨灰などの群Ｂから選択される、いずれか１種または２種以上を配合して使用する。群ＡとＢからそれぞれ選択される、少なくとも１種を配合して使用してもよい。
【００１７】
トルマリン鉱石の粉末を含む合成樹脂成形部品としては、たとえば、シリコンなどの液化樹脂と、トルマリン鉱石の粉末とを混和させ、加熱処理を施してシート状に成形した部品を採用してもよい。
【００１８】
また、本発明の請求項４によれば、帯状装身具の外面に、付加部材が収納される凹部が備えられる。よって、付加部材が、帯状装身具の外面に確実に位置決めされる。
そして、本発明の請求項５によれば、凹部内に透過保持部材が固定されても良い。
このとき、本発明の請求項６に記載された通り、透過保持部材の外面が、帯状装身具の外面より突出しないようにすれば、帯状装身具の携帯者の肌に透過保持部材が当たらないので、帯状装身具の装着感が良好になる。かつ、透過保持部材に意図しない外力が負荷されにくくなるので、透過保持部材が外れる危険が削減される。
【００１９】
また、本発明の請求項７によれば、透過保持部材の側面と凹部の内壁との間で圧縮されるパッキンによって、透過保持部材が凹部内に固定される。この取付け作業は容易であるため、安価に付加部材を備える帯状装身具を製造できる。また、凹部内は防水されるため、凹部内に砂や水が侵入しない。よって、付加部材が水分や湿気などによって錆びたり変色したりすることもない。パッキンは合成樹脂やゴムで成形できる。
このとき、本発明の請求項８に記載された通り、透過保持部材が載置される段部が凹部に備えられてもよい。すると、透過保持部材が、凹部内に確実に位置決めされて載置される。
また、請求項９に記載された通り、パッキンによって透過保持部材が凹部内に固定されるのであれば、透過保持部材は、透明、あるいは半透明の無機ガラスであることが好ましい。
【００２０】
また、本発明の請求項１０によれば、本発明の帯状装身具の透過保持部材は、外面、あるいは内面の少なくともいずれか一方に装飾層が被覆されてもよい。装飾層は、印刷、塗装、あるいは蒸着などの乾式メッキなどの手段によって被覆される。装飾層は、たとえば模様、マーク、絵柄、文字、記号などであることが好ましい。
【００２１】
また、本発明の請求項１１によれば、付加部材と透過保持部材との間に、外方緩衝部材が配置されてもよい。
これにより、透過保持部材に意図しない外力が負荷されても、外力は外方緩衝部材に緩衝されるので、外力から付加部材が保護される。特に、付加部材が脆い素材である場合、たとえば、セラミックやガラスなどからなる装飾部品、あるいはトルマリンを含むセラミック成形部品のような健康増進部品である場合、外部衝撃によって付加部材が傷ついたり破壊されたりしない。
外方緩衝部材は、柔軟な素材から成ることが好ましい。外方緩衝部材の素材には、たとえば合成樹脂やゴムが採用される。
【００２２】
この場合、本発明の請求項１２によれば、外方緩衝部材は、透過保持部材の内面に接する枠体であることが好ましい。すると、枠体の内側の開口を通して、付加部材が視認される。
また、本発明の請求項１３によれば、外方緩衝部材が、付加部材の外側面と、凹部の内壁とに接する側面部を備えてもよい。すると、帯状装身具に衝撃が負荷されようとも、付加部材の側面も衝撃から保護される。よって、衝撃によって付加部材が破壊される危険がさらに削減される。
【００２３】
また、本発明の請求項１４によれば、付加部材と帯状装身具の外面との間に、内方緩衝部材が配置されてもよい。
すると、帯状装身具に衝撃が負荷されようとも、衝撃は内方緩衝部材に緩衝されて、付加部材の内面に伝わらない。よって、衝撃によって付加部材が破壊される危険が削減される。
【００２４】
この場合、本発明の請求項１５によれば、内方緩衝部材は、付加部材が挿入される挿入部を備えることができる。すると、付加部材と内方緩衝部材とが確実に位置決めされる。さらに、帯状装身具に衝撃が負荷されようとも、付加部材が動いて、付加部材が凹部の内壁に衝突することがない。よって、衝撃によって付加部材が傷ついたり破壊されたりする危険が削減される。
さらに、本発明の請求項１６によれば、内方緩衝部材が、付加部材の側面と、凹部の内壁とに接する側面部を備えることもできる。すると、帯状装身具に衝撃が負荷されようとも、衝撃は内方緩衝部材に緩衝されて、付加部材の側面に伝わらない。よって、衝撃によって付加部材が破壊される危険が削減される。
【００２５】
また、本発明の請求項１７によれば、携帯者が帯状装身具を装着した場合に、帯状装身具における携帯者の肌に対向する外面に、付加部材が備えられる。
特に、付加部材が健康増進部品である場合、付加部材が発生する遠赤外線や磁力が、より効果的に携帯者の身体に作用する。たとえば、付加部材は帯状装身具の裏側に配置できる。
しかしながら、付加部材が装飾部品であるならば、帯状装身具の裏側ばかりではなく、表側など、別の箇所に配置してもよい。
【００２６】
また、本発明の請求項１８によれば、帯状装身具は腕時計であってもよい。
この場合、請求項１９に記載した通り、付加部材は、腕時計ケースの裏側の外面に備えられてもよい。たとえば、付加部材は、ケースの裏蓋に備えられてもよい。
【００２７】
また、帯状装身具が腕時計である場合、請求項２０に記載した通り、凹部の底面に、ケースの内側に貫通する貫通孔が形成されることが好ましい。
パッキンを介して透過保持部材を凹部内に水密に組み込むとき、透過保持部材とパッキンによって圧縮される凹部内の空気の反発力を受けて、透過保持部材が凹部内に組み込めない場合がある。このような場合、貫通孔を設ければ、透過保持部材とパッキンによって圧縮される凹部内の空気をケース内部に逃がすことができる。よって、透過保持部材が凹部内に容易に組み込まれる。
また、ケースの内側から付加部材を外方に押圧することにより、付加部材と透過保持部材を裏蓋から容易に外すことができる。この場合、貫通孔を通して付加部材を凹部より取り外し、ケースの内側から透過保持部材を外方に押圧しても、透過保持部材をケース、たとえばケースの裏蓋から容易に外すことができる。
さらに、貫通孔を通して、付加部材を容易に組み込めるばかりか、付加部材を容易に交換できる。
【００２８】
また、この場合、請求項２０に記載したように、貫通孔におけるケースの内側を向く開口部を塞ぐ固定部材を備えることが好ましい。すると、凹部内の付加部材がケース内部に向けて抜脱しないように、固定部材が付加部材を抑止する。
この場合、固定部材はねじなどの固定手段によって、貫通孔の開口部に対して着脱可能であることが好ましい。すると、固定部材を取り外すことにより、貫通孔を通して、付加部材を容易に交換できる。
【００２９】
また、この場合、請求項２２に記載したように、外方緩衝部材の側面部が、貫通孔におけるケースの内側を向く開口部より張り出す延出部を備えることもできる。すると、延出部を把持して外方緩衝部材を貫通孔より抜脱すれば、外方緩衝部材と共に付加部材を裏蓋から取り外すことができる。
【００３０】
また、本発明の請求項２３から２６によれば、たとえば、付加部材は、腕時計ケースのバンド連結部に備えられてもよい。
また、本発明は、付加部材を、中留、バンドの駒、腕時計ケースとバンドとの間に配置される中間連結部材、あるいはバンドとバンドとの間に連結される中間連結部材、さらにあるいはバンドと中留との間に連結される中間連結部材に備えることができる。
【００３１】
また、本発明の請求項２７によれば、健康増進部品が、遠赤外線発生部品、あるいは磁気発生部品の群から選ばれる１つである。
この場合、請求項２８に記載したように、健康増進部品が、トルマリン鉱石の粉末を含むセラミック成形部品である。
【００３２】
【発明の実施の形態】
（第１実施形態）
図１は本発明の第１実施形態による腕時計を裏側から見た分解斜視図、図２は腕時計の断面図である。
図１、および図２に示すように、本発明が適用された腕時計は、ケース１、風防２、文字板３、ムーブメント４、文字板３、およびムーブメント４をケースの段部５に押圧保持する金属製裏蓋６を有する。裏蓋６は、押圧部７の突起８がケース１の凹部１０に圧入することによりケースに固定される。
【００３３】
本実施形態は、健康増進部品又は装飾部品（以下総括して付加部材と称する）を裏蓋６に取付けるようにした実施形態を示す。
付加部材１１は、円板状を成す。そして、裏蓋の外面、詳しくは裏側の中央部に、付加部材１１と相似した円形の凹部１２が形成される。
図２に示すように、凹部１２は、段部１２ｃを備える段付きの凹部として形成される。すなわち、凹部１２の内側には、付加部材を収納するための有底の収納内凹部１２ａが形成される。収納内凹部１２ａの外側に連続して、収納内凹部１２ａより大径の外凹部１２ｂが形成される。よって、収納内凹部１２ａと外凹部１２ｂとの間に段部１２ｃが形成される。たとえば、収納内凹部１２ａと外凹部１２ｂとは、同心の円形を成す。収納内凹部１２ａは、付加部材１１の径より少し大きい径を有する。
【００３４】
付加部材１１を凹部１２内に取付けるには、まず付加部材１１が、凹部１２の収納内凹部１２ａに納められる。次いで、枠状、たとえばリング状のパッキン１５が、外凹部１２ｂの内周面に沿うように、かつ段部１２ｃに接するように挿入される。パッキン１５は、たとえば柔軟な合成樹脂よりなる。
そして、透過保持部材１４が、外凹部１２ｂ内に挿入される。透過保持部材１４は、たとえば透明な無機ガラス製の円板として形成される。
パッキン１５が、外凹部１２ｂの内周面と保持部材１４の外周面との間で圧縮されるように、透過保持部材１４は、パッキン１５の内側に圧入される。透過保持部材１４は、段部１２ｃに接するまで圧入される。よって、保持部材１４が、圧縮されたパッキン１５の弾発力により、外凹部１２ｂ内に保持される。
このように、パッキン１５を介在させた脱落防止手段によって、透過保持部材１４が凹部１２内に保持される。
結果、脱落防止手段によって保持された透過保持部材１４の内側、詳しくは収納内凹部１２ａ内に付加部材１１が保持される。
【００３５】
ここで、内側とは図面の上側、外側とは図面の下側を示す。内側とは、帯状装身具、たとえば腕時計を手首の巻回した状態において、腕時計における手首に接する側となる。外面、あるいは内面という表現も、これに準ずる。
【００３６】
透過保持部材１４は、光を透過させる透過性であるので、付加部材１１が装飾部品である場合は、付加部材１１は保持部材１４を通して視認される。
また、付加部材１１が健康増進部品である場合も、健康増進部品が、透過保持部材１４を通して視認されるので、購買者に健康増進部品の存在を知らしめて、購買者の購買意欲が促される。さらに、付加部材１１から発生する遠赤外線や磁力が、透過保持部材１４を通して携帯者の肌に作用する。
【００３７】
ここで、付加部材１１が装飾部品の時、その素材は、ステンレス、チタン、チタン合金、黄銅などの金属、七宝などのセラミック、天然繊維、合成繊維、皮革、写真や絵などの紙、コイン、あるいは合成樹脂やゴムなどの柔軟体などである。
健康増進部品としては、遠赤外線発生部品、あるいは永久磁石などの磁気発生部品などが採用される。
【００３８】
遠赤外線発生部品としては、たとえば、Ｓｉ３Ｎ４、Ｃ、ＴｉＯ２、ＭｇＯ、ＺｒＯ２、Ｆｅ（ＯＨ）２などの無機物を溶剤系のバインダーに練り込んで成形した成形部品を採用してもよい。あるいは、シリコンなどの液化樹脂と、麦飯石、蛇紋岩、角閃石、褐廉石、沸石、蛍石、フェルソング石などの多種類の鉱石を粉砕した微粉末鉱石とを混和させ、加熱処理を施してチップ状に成形した遠赤外線発生部品を採用してもよい。さらに、スギゴケ、ゼニゴケなどのコケ類植物を乾燥させ粉末状とした微粉末植物を加えて成形した部品を用いてもよい。
【００３９】
遠赤外線発生部品としては、たとえば、トルマリン鉱石の原石、トルマリン鉱石の粉末を含むセラミック成形部品、あるいはトルマリン鉱石の粉末を含む合成樹脂成形部品などを採用してもよい。
【００４０】
トルマリン鉱石の粉末を含むセラミック成形部品は、たとえば次のように製造される。セラミック微細中空粒子、およびトルマリン粉末を主構成材料とし、これに融剤となる材料を含むセラミックス組成物と水を加えて混練する。
次いで、混練された材料を、所定の型枠に打設して、加圧成形後、焼成すればよい。
【００４１】
融剤としては、たとえば、長石、石灰石、炭酸マグネシウム、リン酸石灰、酸化鉛、硼酸、硼砂、炭酸ソーダ、硝酸ソーダ、酸化亜鉛の群から選択される、いずれか１種または２種以上を添加する。
【００４２】
セラミックス組成物とは、Ｂ２Ｏ３、ＳｉＯ２、ＧｅＯ２、ＺｒＯ２、Ｐ２Ｏ５、Ａｓ２Ｏ５、Ｓｂ２Ｏ３、Ｂｉ２Ｏ３、Ｐ２Ｏ３、Ｓｂ２Ｏ５、ＳＯ３などの酸性酸化物に、Ｎａ２Ｏ、Ｋ２Ｏ、ＣａＯ、ＭｇＯなどの塩基性酸化物や、Ａｌ２Ｏ３、Ｆｅ２Ｏ３、ＺｎＯ、ＰｂＯ、ＴｉＯ２などを添加したものが含まれる。たとえば、ＳｉＯ２−Ｎａ２Ｏ−Ｂｉ２Ｏ３、ＳｉＯ２−Ｎａ２Ｏ−ＣａＯ、ＳｉＯ２−Ｋ２Ｏ−ＣａＯ、Ａｌ２Ｏ３−ＳｉＯ２−Ｎａ２Ｏ−ＣａＯ−Ｂ２Ｏ３、Ａｌ２Ｏ３−ＳｉＯ２−ＴｉＯ２−ＣａＯ−Ｂ２Ｏ３、ＣａＯ−ＳｉＯ２−Ａｌ２Ｏ３−Ｆｅ２Ｏ３、あるいはＳｉＯ２−Ａｌ２Ｏ３−Ｋ２Ｏなどの群Ａから選択される、少なくとも１種を使用する。あるいは、天然素材のカオリン、可塑性粘土（蛙目粘土、木節粘土、ボールクレー等）、セリサイト、陶石、ロウ石、ベントナイト、珪石、シャモット、長石、石灰石、マグネサイト、ドロマイト、珪灰石、滑石、骨灰などの群Ｂから選択される、いずれか１種または２種以上を配合して使用する。群ＡとＢからそれぞれ選択される、少なくとも１種を配合して使用してもよい。
【００４３】
トルマリン鉱石の粉末を含む合成樹脂成形部品としては、たとえば、シリコンなどの液化樹脂と、トルマリン鉱石の粉末とを混和させ、加熱処理を施してシート状に成形した部品を採用してもよい。
【００４４】
さて、保持状態においては、付加部材１１は完全に保持部材１４によって封止されているので外力により傷つくことはない。また、保持部材１４の下面は裏蓋６の下面と略同一面となり、保持部材の下面は裏蓋下面より突出することはないようになっている。これにより外力により保持部材が外れることなく、また腕時計の装着時に局部的圧接感がなく装着感を悪くすることはない。そして、パッキン１５による脱落防止手段により保持部材１４は確実に裏蓋の外凹部１２ｂ内に嵌合し、付加部材１１の保持が確保される。
【００４５】
（第２実施形態）
図３は、本発明の第２実施形態を示す断面図である。以下の説明において第１実施形態と同じ部材については、それと同一符号を付し、その説明を省略する場合がある。
この実施形態では、凹部１２の底面、すなわち内凹部１２ａにおける外方を向く外面に、ケースの内部に連通する貫通孔１７が裏蓋６に形成される。そこに段部１９が形成され、ここに付加部材１１が支持される。また、透過保持部材１４の外面と内面に、記号、マーク、絵柄、模様などよりなる装飾層１８が被覆されている。装飾層１８は、透過保持部材１４の外面と内面のうち、いずれか一方に形成されてもよい。
装飾層１８は、たとえば、印刷、塗装、あるいは蒸着などの乾式メッキなどの手段によって、透過保持部材１４の表面に被覆される。
あるいは、装飾層１８に換えて、装飾層１８と同様の形状を成す、記号、マーク、絵柄、模様などを表わす凹部が、エッチングやレーザーなどの手段で、透過保持部材１４の表面に刻印されてもよい。あるいはまた、装飾層１８と同様の形状を成す凹部が、プレスや射出成形などの手段で形成されてもよい。
【００４６】
本実施形態によれば、透過保持部材１４がパッキン１５を介して凹部１２内部に組み込まれるとき、透過保持部材１４によって凹部１２内で圧縮される空気をケース１内部に逃すことができる。これにより、組み込み作業が容易になるばかりか、かつ確実になる。
さらに、裏蓋６を外し、貫通孔１７より工具をいれて、付加部材１１及び保持部材１４を外方に押すことにより、付加部材１１及び保持部材１４を裏蓋６からから外すことができる。すると、付加部材１１を別の付加部材と交換することができる。
【００４７】
（第３実施形態）
図４は第３実施形態の一部を示す分解断面図、図５はその全体を示す断面図である。
本実施形態は、外部からの衝撃に対して、付加部材を保護しようとする形態である。
すなわち、図５に示すように、付加部材１１の外周を囲む環状の外方緩衝部材２０が設けられている。この外方緩衝部材２０は、合成樹脂又はゴム等の軟質な材料で作られた枠体を成す。外方緩衝部材２０には、表裏方向、すなわち図面の上下方向に貫通する開口部２０ｃが形成される。
詳しくは、外方緩衝部材２０は、付加部材１１の外周部に当接する外周部２０ａと、外周部２０ａより、開口部２０ｃの中心に向かって延出する、フランジ状の周縁部２０ｂとよりなる。周縁部２０ｂは、付加部材１１の外面の周縁部に被さって当接する。
【００４８】
図５に示すように、第１、および２実施形態と同じく、凹部１２ｂにパッキンを介して保持部材１４が取付けられる。よって、付加部材１１が凹部１２ａ内に保持される。
この状態において、外方緩衝部材２０の外周部２０ａは、凹部１２ａの内周面と、付加部材１１の外周面の間に位置して、両者に接する。また、外方緩衝部材２０の周縁部２０ｂは、付加部材１１の外面と、保持部材１４の内面の間に位置して、両者に接する。
【００４９】
そして、表裏方向に沿って外方から負荷される衝撃は、周縁部２０ｂによって緩衝される。また、半径方向の衝撃、すなわち図面の左右方向に沿って外方から負荷される衝撃は、外周部２０ａが受ける。
なお、外方緩衝部材には開口部２０ｃが形成されているが、この開口部２０ｃより付加部材１１が視認される。付加部材が装飾部品である場合は、装飾部品が視認されなければ、帯状装身具が装飾されないので、この開口部２０ｃは必須である。付加部材が健康増進部品である場合は、開口部２０ｃは無くともよい。
【００５０】
（第４実施形態）
図６は第４実施形態の一部を示す分解断面図、図７はその全体を示す断面図である。
本実施形態は、第３実施形態における外方緩衝部材２０に加えて、更に内方緩衝部材２１を設けたことを特徴とする。
内方緩衝部材２１は、外方緩衝部材２０と同じ材料で作られた盤状を成す。外方緩衝部材２０は、付加部材１１の内面に接する、円板状の基部２１ａを備える。さらに、基部２１ａの外周縁から、外方に向かって延出する外周部２１ｂが部材２０に形成される。したがって、リング状に突出する外周部２１ｂに囲まれた凹部が、挿入部２１ｃとして内方緩衝部材２１の外面に形成される。外周部２１ｂは、付加部材１１の外周面に接する。
【００５１】
第３実施形態と同じく、保持部材１４の内側に付加部材１１が保持され、かつ保持部材１４の内面と、付加部材１１の外面との間に、外方緩衝部材２０が挟持される。さらに、図７に示されるように、付加部材１１の内面と、凹部１２ａの外面、すなわち底面との間に、内方緩衝部材２１が挟持される。内方緩衝部材２１の挿入部２１ｃ内に付加部材１１が挿入され、付加部材１１のガタツキが抑止される。
この状態において、内方緩衝部材２１の基部２１ａは、凹部１２ａの底面と、付加部材１１の内面の間に位置して、両者に接する。また、内方緩衝部材２１の外周部２１ｂは、凹部１２ａの内周面と、付加部材１１の外周面との間に位置して、両者に接する。
内方緩衝部材２１の外周部２１ｂは、外方緩衝部材２０の外周部２０ａと当接し、外周部２１ｂと外周部２０ａとが合わさって、付加部材１１の外周面を完全に覆う。
【００５２】
かくて、付加部材１１は、内方緩衝部材２１と外方緩衝部材２０とで完全に包まれる。よって、本実施形態では、付加部材１１は、外部衝撃に対して、さらに完全に保護される。しかしながら、外方緩衝部材２０を省いて、内方緩衝部材２１だけを配置してもよい。
【００５３】
（第５実施形態）
図８は第５実施形態の一部を示す分解断面図、図９はその全体を示す断面図である。
本実施形態においては、前記の第４実施形態における内方緩衝部材２１に代えて、平板状の内方緩衝部材２３が設けられる。さらに、円盤状の固定部材２４が追加される。
他方、裏蓋６には、凹部１２の底部に貫通孔２５が形成される。ここには、第２実施形態における段部１９は形成されない。
【００５４】
図９に示すように、固定部材２４の外面、すなわち付加部材１１に対向する面には、貫通孔２５と同径の凹部２６が形成される。固定部材２４は、数本のねじ２７により、裏蓋６の内面に固定される。内方緩衝部材２３が、裏蓋６の上に載置された固定部材２４の凹部２６内に配置される。内方緩衝部材２３の外側に接するように付加部材１１が配置される。第４実施形態と同じく、付加部材１１の外側に外方緩衝部材２０、および透過保持部材１４が配置される。内方緩衝部材２３の径は、付加部材１１の径より大きいので、付加部材１１の周囲は、内外方緩衝部材２３、２０で囲まれる。このように、付加部材１１が、透過保持部材１４で裏蓋６内に保持される。
【００５５】
本実施形態によれば、裏蓋６をケース１より外し、次いでねじ２７を外すことにより、固定部材２４を裏蓋６から容易に外すことができる。すると、貫通孔２５を通して、付加部材１１を容易に交換することができる。
【００５６】
（第６実施形態）
図１０は第６実施形態の一部を示す分解断面図、図１１は全体を示す断面図である。
本実施形態においては、前記の第５実施形態における固定部材２４が省略される。また、内方緩衝部材２１、および外方緩衝部材２０に代えて、形状の変えられた内方緩衝部材３０、および外方緩衝部材３１が設けられる。
内方緩衝部材３０の外側には、付加部材１１の外周に接する外周突起３０ａが形成される。よって、外周突起３０ａに囲まれた凹部３０ｂが、内方緩衝部材３０の外面に形成される。
外方緩衝部材３１は、表裏方向、すなわち内外方向に貫通した筒状の部品として図示される。外方緩衝部材３１における、外方寄りの内周面に、外周突起３０ａを受ける段部３１ａが形成される。さらに、外方緩衝部材３１における、段部３１ａより、さらに外方寄りの内周面に、付加部材１１を受ける段部３１ｂが形成される。段部３１ｂの径は段部３１ａの径より小さく形成される。
また、外方緩衝部材３１における、内方寄りの外周面には、径方向に沿って外側に向けて延出する延出部であるフランジ３１ｃが形成される。
【００５７】
図１０に示すように、内方緩衝部材３０と付加部材１１とが外方緩衝部材３１の内部に収納される。すなわち、内方緩衝部材３０における段部３１ｂに付加部材１１が配置される。そして、内方緩衝部材３０における段部３１ａに内方緩衝部材３０が配置される。よって、付加部材１１の外側に接するように内方緩衝部材３０が重ねられる。外方緩衝部材３１の外端部分に形成された周縁部が、付加部材１１の外面の周縁を覆うことは、第３実施形態と同じである。
【００５８】
図１１に示すように、フランジ３１ｃは、裏蓋６の貫通孔におけるケースの内側を向く開口部より張り出し、裏蓋６の内面に当接する。外方緩衝部材３１は、付加部材１１及び内方緩衝部材３０を保持している。透過保持部材１４は全体を保持し、フランジ３１ｃがムーブメント４の下面に当たる。
本実施形態によれば、裏蓋６をケース１より外し外方緩衝部材３１を外すことにより付加部材１１を容易に交換することができる。
【００５９】
以下に記述する実施形態は、付加部材１１を裏蓋以外の部分に取付けた例である。
（第７実施形態）
図１２は第７実施形態を示す斜視図、図１３はその断面図である。
時計ケース３３より突出するバンド連結部３３ａにおける裏側の外面に、凹部３４が形成される。この凹部３４の中に、付加部材１１が、前述と同様に透過保持部材１４とパッキン１５により取付けられている。
（第８実施形態）
図１４は第８実施形態を裏側より見た斜視図である。
この実施形態は、複数の付加部材を、複数のバンドの駒に取付けた例を示すものである。各駒４７は公知の手段で順次連結され、バンドを形成する。各駒４７の裏側の外面には凹部４８が形成される。その凹部４８中に付加部材１１が、前述と同様に保持部材１４及びパッキン１５によって保持されている。
各駒４７の素材は、たとえば金属、合成樹脂、ゴム、セラミックなどであり、特に限定されない。付加部材１１が装飾部品の場合には、付加部材１１を駒の表側の外面に配置してもよい。
【００６０】
（第９実施形態）
図１５は第９実施形態を示す分解斜視図である。
この例では、時計ケース５３の一端に連結された第１のバンド５４と第２のバンド５５との間に連結された第１の中間連結部材５６における裏側の外面、及びケース５３と他方のバンド５７との間に連結された第２の中間連結部材５８における裏側の外面とに、それぞれ凹部６０が形成される。そして、凹部６０それぞれに、前述と同様に、付加部材１１がパッキン１５及び保持部材１４によって取付けられる。
【００６１】
中間連結部材とケース、あるいは中間連結部材とバンドとの連結には、公知の連結手段、たとえば図示するようなばね棒などが用いられる。中間連結部材の素材には、金属や合成樹脂など、適宜な素材が採用される。中間連結部材が付加されることで、腕時計に新しい美観が付与される。中間連結部材の表側の外面に、記号、マーク、絵柄などの装飾部を付すると、さらに腕時計が装飾される。
なお、前記のように、付加部材が装飾部品の場合には、付加部材を中間連結部材の表側の外面に配置してもよい。
【００６２】
（第１０実施形態）
図１６は第１０実施形態を示す斜視図、図１７はその断面図である。
本例は三つ折れ中留に付加部材を取付けた例である。中留は、表カバー６１と中板６２及び下板６３よりなる。下板は、中間連結部材６４を介して他方のバンド６５に連結されている。図１７に示すように、下板６３の裏側の外面、すなわち図１７における下板６３の下面の一部が肉厚となって、収納部６７が形成される。
そして、下板６３における収納部６７の裏側の外面（下面）と、中間連結部材６４の表側の外面（上面）とに、それぞれ凹部６６が形成される。凹部６６それぞれに、前述と同様に、付加部材１１が、パッキン１５及び保持部材１４によって組み込まれている。
【００６３】
第９と１０実施形態により、中間連結部材は、腕時計を構成する部品のいずれかの間、すなわちケース、バンド、中留などのいずれかの間に、少なくとも１つ配置され得ることがわかる。中間連結部材は、帯状装身具を構成する部品のいずれかの間に、少なくとも１つ配置され得る。
【００６４】
（第１１実施形態）
図１８は第１１実施形態を示す斜視図、図１９は断面図である。本例は本発明を連結式中留に適用したものである。
連結式中留は、一方のバンド７０に連結された中留ケース７１と、該ケースにピンで回動可能に取付けられた連結金具７２とを有する。連結金具７２は、他方のバンド７３に連結された駒７４と、駒７４に取付けられたピン７９との間の空間に通して反転できる。連結金具７２のロックピン７５が、ケース７１の孔７６に挿入され、ロックピン７５が錠止板（プッシュボタン）７７のフックに係合する。このように、両バンドを連結する中留である。
そして、ケース７１と一体の連結部７８の裏側に凹部８０が形成され、前述と同様に、付加部材１１が、保持部材１４及びパッキン１５によって組み込まれている。
【００６５】
（第１２実施形態）
図２０は第１２実施形態を示す斜視図である。本例は、本発明を皮革、合成樹脂、あるいはゴム製バンドの施錠に用いられる尾錠に適用したものである。
尾錠は、挿通枠８１と之に取付けられたつく棒８２とよりなり、つく棒８２がバンド８３の孔８４の一つに挿入されてバンドが締められるものである。
本発明によれば、挿通枠８１とバンド８３との間に、連結金具８５が回動可能に連結され、之の裏側に凹部８６が形成される。この凹部８６の中に、前述と同様に、付加部材１１と保持部材１４及びパッキン１５が組み込まれている。
【００６６】
以上の実施形態により、付加部材は、腕時計を構成する部品の少なくとも１つに、すなわちケース、バンド、中留などの少なくとも１つに配置され得ることがわかる。付加部材は、帯状装身具を構成する部品の少なくとも１つに配置され得る。
【００６７】
【発明の効果】
本発明によれば、帯状装身具の外表面に付加部材を配置し、その外側に透過保持部材を被せて、保持部材を帯状装身具に固定するだけで、付加部材が帯状装身具に対して強固に保持される。また、付加部材を帯状装身具に接着する必要がないので、接着剤のはみ出しなどで、帯状装身具の美観を損ねることがない。さらに、この取付け作業は容易であるため、安価に付加部材を備える帯状装身具を製造できる。
【図面の簡単な説明】
【図１】腕時計を裏側から見た分解斜視図である。
【図２】腕時計の断面図である。
【図３】本発明の第２実施形態を示す断面図である。
【図４】第３実施形態の一部を示す分解断面図である。
【図５】第３実施形態の全体を示す断面図である。
【図６】第４実施形態の一部を示す分解断面図である。
【図７】第４実施形態の全体を示す断面図である。
【図８】第５実施形態の一部を示す分解断面図である。
【図９】第５実施形態の全体を示す断面図である。
【図１０】第６実施形態の一部を示す分解断面図。
【図１１】第６実施形態の全体を示す断面図である。
【図１２】第７実施形態を示す斜視図である。
【図１３】第７実施形態を示す断面図である。
【図１４】第８実施形態を裏側より見た斜視図である。
【図１５】第９実施形態を示す分解斜視図である。
【図１６】第１０実施形態を示す斜視図である。
【図１７】第１０実施形態を示す断面図である。
【図１８】第１１実施形態を示す斜視図である。
【図１９】第１１実施形態を示す断面図である。
【図２０】第１２実施形態を示す斜視図である。
【符号の説明】
１　　　　　　ケース
２　　　　　　風防
３　　　　　　文字板
４　　　　　　ムーブメント
５　　　　　　段部
６　　　　　　裏蓋
７　　　　　　押圧部
８　　　　　　突起
１０　　　　凹部
１１　　　　付加部材
１２　　　　凹部
１２ａ　　付加部材収納内凹部
１２ｂ　　外凹部
１２ｃ　　段部
１４　　　　透過保持部材
１４ｂ　　押さえ部
１５　　　　パッキン
１７　　　　貫通孔
１８　　　　装飾層
１９　　　　段部
２０　　　外方緩衝部材
２０ａ　　外周部
２０ｂ　　周縁部
２０ｃ　　開口部
２１　　　　内方緩衝部材
２１ａ　　基部
２１ｂ　　外周部
２４　　　　固定部材
２５　　　　貫通孔
２６　　　　凹部
２７　　　　ねじ
３０　　　　内方緩衝部材
３０ａ　　外周突起
３１　　　　外方緩衝部材
３１ａ　　段部
３１ｂ　　段部
３１ｃ　　フランジ
３３　　　　時計ケース
３３ａ　　連結部
３４　　　　凹部
４７　　　　駒
４８　　　　凹部
５３　　　　時計ケース
５４　　　　バンド
５５　　　　バンド
５６　　　　中間連結部材
５７　　　　バンド
５８　　　　中間連結部材
６０　　　　凹部
６１　　　　表カバー
６２　　　　中板
６３　　　　下板
６４　　　　中間連結部材
６５　　　　バンド
６６　　　　凹部
６７　　　　収納部
７０　　　　バンド
７１　　　　中留ケース
７２　　　　連結金具
７３　　　　バンド
７４　　　　駒
７６　　　　孔
７７　　　　錠止板
７８　　　　連結部
７９　　　　ピン
８０　　　　凹部
８１　　　　挿通枠
８２　　　　つく棒
８３　　　　バンド
８４　　　　孔
８５　　　　連結金
８６　　　　凹部
【図１】
2004081744.tif 000003
【図２】
2004081744.tif 000004
【図３】
2004081744.tif 000005
【図４】
2004081744.tif 000006
【図５】
2004081744.tif 000007
【図６】
2004081744.tif 000008
【図７】
2004081744.tif 000009
【図８】
2004081744.tif 000010
【図９】
2004081744.tif 000011
【図１０】
2004081744.tif 000012
【図１１】
2004081744.tif 000013
【図１２】
2004081744.tif 000014
【図１３】
2004081744.tif 000015
【図１４】
2004081744.tif 000016
【図１５】
2004081744.tif 000017
【図１６】
2004081744.tif 000018
【図１７】
2004081744.tif 000019
【図１８】
2004081744.tif 000020
【図１９】
2004081744.tif 000021
【図２０】
2004081744.tif 000022